(57)【要約】【課題】栽培ラックの載置部に載せられた栽培槽に植えられた全植物に発せられる光量子束密度を均一化しうる植物栽培装置を提供する。【解決手段】植物栽培装置は、栽培槽を載せる載置部の上方に間隔をおいて栽培ラックに配置された照明装置５を備えている。照明装置５は、額縁状の枠15と、枠15に着脱自在に取り付けられた複数のＬＥＤ灯具16と、ＬＥＤ灯具16の上方に位置するように枠15に着脱自在に取り付けられ、かつ反射面が下方を向いた板状反射部材17とを備えている。照明装置５の枠15のＬＥＤ灯具16よりも上方の部分でかつ左右両側縁寄りの部分に、前後方向にのびるとともに枠15内方に向かって開口し、かつ反射部材17の左右両側縁部が嵌め入れられる反射部材嵌入溝28を形成する。反射部材17の左右両側縁部を、反射部材嵌入溝28の前後いずれか一端から嵌め入れる。【選択図】図８
2015006162.tif 000002
【特許請求の範囲】
【請求項１】
複数の支柱、および支柱を利用して設けられかつ植物が植えられた栽培槽を載せる載置部を有する栽培ラックと、載置部の上方に間隔をおいて栽培ラックに配置された照明装置とを備え、照明装置が、載置部に対する照明装置の高さ位置を変更しうるように栽培ラックに取り付けられている植物栽培装置であって、
照明装置が、額縁状の枠と、枠に着脱自在に取り付けられた複数のＬＥＤ灯具と、ＬＥＤ灯具の上方に位置するように枠に着脱自在に取り付けられ、かつ反射面が下方を向いた反射部材とを備えている植物栽培装置。
【請求項２】
照明装置の反射部材が板状であり、照明装置の枠におけるＬＥＤ灯具よりも上方の部分でかつ左右両側縁寄りの部分に、前後方向にのびるとともに枠内方に向かって開口し、かつ反射部材の左右両側縁部が嵌め入れられる反射部材嵌入溝が形成され、両反射部材嵌入溝の前後両端のうちいずれか同一の端部が開口しており、反射部材の左右両側縁部が、反射部材嵌入溝の前後いずれか一端の開口を通して嵌め入れられるようになっている請求項１記載の植物栽培装置。
【請求項３】
反射部材の左右両側縁部に上方折り返し部が設けられ、反射部材嵌入溝の上側壁における当該溝の開口側端部に溝内方に突出した凸部が設けられている請求項２記載の植物栽培装置。
【請求項４】
照明装置の反射部材が板状であり、照明装置の枠におけるＬＥＤ灯具よりも上方の部分において、照明装置の枠における互いに対向する１対の枠部材に反射部材を受ける平板部が設けられ、反射部材が、固定・解除自在のロック装置を用いて平板部に着脱自在に取り付けられている請求項１記載の植物栽培装置。
【請求項５】
ロック装置が、反射部材に形成された貫通穴、および平板部に形成された貫通穴に通されるグロメットと、上方からグロメットに移動自在に挿入された軸部を有するプランジャとからなり、グロメットが、反射部材の上面における貫通穴の周囲の部分に沿う環状座部と、環状座部の片面に周方向に間隔をおいて一体に設けられ、かつ両貫通穴に通される複数の脚部とを有し、プランジャの押し引きによって、グロメットの脚部が弾性変形し、かつ径方向外側に広がって平板部における貫通穴の周囲の部分に係合して反射部材を平板部に固定する固定位置と、両貫通穴を通過しうる解除位置との間で切り替わるようになっている請求項４記載の植物栽培装置。
【請求項６】
ロック装置が、嵌合凸部を有する雄部材と、雄部材の嵌合凸部が嵌る嵌合凹部を有する雌部材とを有し、ロック装置の雌部材が平板部に取り付けられるとともに雄部材が反射部材に取り付けられており、雄部材を押すごとに固定と解除とを繰り返すようになっている請求項４記載の植物栽培装置。
【請求項７】
ＬＥＤ灯具が直管状であり、照明装置の枠における互いに対向する１対の枠部材が垂直状の灯具受け部を有し、前記１対の枠部材の灯具受け部に、その上端から下方にのびる複数の切り欠きが、灯具受け部の長さ方向に間隔をおいて形成され、ＬＥＤ灯具の両端部が前記１対の枠部材の灯具受け部の切り欠き内に嵌め入れられ、枠に着脱自在に固定された押さえ部材によってＬＥＤ灯具の両端が上方から押さえられており、押さえ部材に反射部材嵌入溝が形成されている請求項１〜６のうちのいずれかに記載の植物栽培装置。
【請求項８】
前記１対の枠部材の灯具受け部よりも枠外側の部分において、ＬＥＤ灯具の少なくともいずれか一端部に設けられた通電用ピンに、給電用配線に取り付けられたソケットが接続されている請求項７記載の植物栽培装置。
【請求項９】
ＬＥＤ灯具が直管状であり、照明装置の枠における互いに対向する１対の枠部材が垂直状の灯具取付部を有し、前記１対の枠部材の灯具取付部に、ピン装着部を有するソケットが着脱自在に取り付けられ、ソケットのピン装着部にＬＥＤ灯具の両端に設けられたピンが着脱自在に装着されている請求項１〜６のうちのいずれかに記載の植物栽培装置。
【請求項１０】
ソケットに、弾性を有する１対の指部が、互いに間隔をおくとともに、ピン装着部から外方に突出するように設けられ、各指部の先端部に、他の指部とは反対側に突出した爪部が設けられ、各指部が灯具取付部に間隔をおいて形成された貫通穴に通されるとともに、爪部が灯具取付部における貫通穴の周囲の部分に係合している請求項９記載の植物栽培装置。
【請求項１１】
ＬＥＤ灯具が直管状であり、照明装置の枠における互いに対向する１対の枠部材に、ＬＥＤ灯具を保持するホルダが、枠部材の長手方向に移動自在に取り付けられ、ホルダが、枠部材の長手方向の任意の位置において、固定部材により枠部材に固定されている請求項１〜６のうちのいずれかに記載の植物栽培装置。
【請求項１２】
照明装置の枠における互いに対向する１対の枠部材に、下方に開口しかつ枠部材の長手方向にのびるホルダ案内溝が設けられ、ホルダ案内溝の両側面の下縁部に溝内方に突出した突出片が設けられ、ホルダが、枠部材の両突出片に跨った状態で両突出片の下面に沿うベース部、およびベース部に一体に設けられてＬＥＤ灯具を把持する把持部を有し、固定部材が、枠部材のホルダ案内溝内に回転しないように配置されたナットと、ホルダのベース部を下方から貫通するとともに枠部材の両突出片の先端間を通ってホルダ案内溝内に挿入されたおねじ部を有し、かつおねじ部がナットにねじ嵌められたボルトとよりなる請求項１１記載の植物栽培装置。
【請求項１３】
栽培ラックに、複数の載置部が上下方向に間隔をおいて設けられており、栽培ラックにおける各載置部よりも上方の部分に、照明装置の左右長側縁部を支持する複数の支持部が上下方向に間隔をおいて設けられている請求項１〜１２のうちのいずれかに記載の植物栽培装置。
【発明の詳細な説明】
【技術分野】
【０００１】
この発明は、たとえばＬＥＤ照明装置を光源として使用し、かつ植物工場、野菜工場、育苗装置などで用いられる植物栽培装置に関する。
【０００２】
この明細書および特許請求の範囲において、図１の上下、左右を上下、左右といい、図２の左側を前、これと反対側を後というものとする。
【背景技術】
【０００３】
ＬＥＤ照明装置を用いた植物栽培装置として、本出願人は、先に、複数の支柱、および支柱を利用して設けられかつ植物が植えられた栽培槽を載せる載置部を有する栽培ラックと、載置部の上方に間隔をおいて栽培ラックに配置された照明装置とを備え、栽培ラックが、前後方向に間隔をおいて配置された２つの支柱からなる支柱対を、左右方向に間隔をおいて３対以上備えており、左右方向に隣り合う支柱対に、照明装置の左右両側縁部を支持する支持部が上下方向に間隔をおいて複数設けられ、当該支持部を利用して、植物の成育状況に応じて、載置部に対する照明装置の高さ位置を変更しうるように、照明装置が栽培ラックに取り付けられている植物栽培装置を提案した（特許文献１参照）。
【０００４】
特許文献１記載の植物栽培装置によれば、植物の種類や植物の成育状況に応じて載置棚に対するＬＥＤ照明装置の高さ位置を変更することによって、植物に照射する光強度を調節することが可能になる。
【０００５】
しかしながら、最近では、設備コストおよび消費電力コストを低減すること目的として、載置部に載せられた栽培槽に植えられた植物の生育に必要な光量子束密度を確保するために必要最少数のＬＥＤ灯具を使用した上で、載置部に載せられた栽培槽に植えられた全植物に発せられる光量子束密度を均一化することが求められている。
【先行技術文献】
【特許文献】
【０００６】
【特許文献１】特開２０１３−１７３９７号公報
【発明の概要】
【発明が解決しようとする課題】
【０００７】
この発明の目的は、上記要求に応じ、植物の生育に必要な光量子束密度を確保するために必要最少数のＬＥＤ灯具を使用した上で、栽培ラックの載置部に載せられた栽培槽に植えられた全植物に発せられる光量子束密度を均一化しうる植物栽培装置を提供することにある。
【課題を解決するための手段】
【０００８】
本発明は、上記目的を達成するために以下の態様からなる。
【０００９】
1)複数の支柱、および支柱を利用して設けられかつ植物が植えられた栽培槽を載せる載置部を有する栽培ラックと、載置部の上方に間隔をおいて栽培ラックに配置された照明装置とを備え、照明装置が、載置部に対する照明装置の高さ位置を変更しうるように栽培ラックに取り付けられている植物栽培装置であって、
照明装置が、額縁状の枠と、枠に着脱自在に取り付けられた複数のＬＥＤ灯具と、ＬＥＤ灯具の上方に位置するように枠に着脱自在に取り付けられ、かつ反射面が下方を向いた反射部材とを備えている植物栽培装置。
【００１０】
2)照明装置の反射部材が板状であり、照明装置の枠におけるＬＥＤ灯具よりも上方の部分でかつ左右両側縁寄りの部分に、前後方向にのびるとともに枠内方に向かって開口し、かつ反射部材の左右両側縁部が嵌め入れられる反射部材嵌入溝が形成され、両反射部材嵌入溝の前後両端のうちいずれか同一の端部が開口しており、反射部材の左右両側縁部が、反射部材嵌入溝の前後いずれか一端の開口を通して嵌め入れられるようになっている上記1)記載の植物栽培装置。
【００１１】
3)反射部材の左右両側縁部に上方折り返し部が設けられ、反射部材嵌入溝の上側壁における当該溝の開口側端部に溝内方に突出した凸部が設けられている上記2)記載の植物栽培装置。
【００１２】
4)照明装置の反射部材が板状であり、照明装置の枠におけるＬＥＤ灯具よりも上方の部分において、照明装置の枠における互いに対向する１対の枠部材に反射部材を受ける平板部が設けられ、反射部材が、固定・解除自在のロック装置を用いて平板部に着脱自在に取り付けられている上記1)記載の植物栽培装置。
【００１３】
5)ロック装置が、反射部材に形成された貫通穴、および平板部に形成された貫通穴に通されるグロメットと、上方からグロメットに移動自在に挿入された軸部を有するプランジャとからなり、グロメットが、反射部材の上面における貫通穴の周囲の部分に沿う環状座部と、環状座部の片面に周方向に間隔をおいて一体に設けられ、かつ両貫通穴に通される複数の脚部とを有し、プランジャの押し引きによって、グロメットの脚部が弾性変形し、かつ径方向外側に広がって平板部における貫通穴の周囲の部分に係合して反射部材を平板部に固定する固定位置と、両貫通穴を通過しうる解除位置との間で切り替わるようになっている上記4)記載の植物栽培装置。
【００１４】
6)ロック装置が、嵌合凸部を有する雄部材と、雄部材の嵌合凸部が嵌る嵌合凹部を有する雌部材とを有し、ロック装置の雌部材が平板部に取り付けられるとともに雄部材が反射部材に取り付けられており、雄部材を押すごとに固定と解除とを繰り返すようになっている上記4)記載の植物栽培装置。
【００１５】
7)ＬＥＤ灯具が直管状であり、照明装置の枠における互いに対向する１対の枠部材が垂直状の灯具受け部を有し、前記１対の枠部材の灯具受け部に、その上端から下方にのびる複数の切り欠きが、灯具受け部の長さ方向に間隔をおいて形成され、ＬＥＤ灯具の両端部が前記１対の枠部材の灯具受け部の切り欠き内に嵌め入れられ、枠に着脱自在に固定された押さえ部材によってＬＥＤ灯具の両端が上方から押さえられており、押さえ部材に反射部材嵌入溝が形成されている上記1)〜6)のうちのいずれかに記載の植物栽培装置。
【００１６】
8)前記１対の枠部材の灯具受け部よりも枠外側の部分において、ＬＥＤ灯具の少なくともいずれか一端部に設けられた通電用ピンに、給電用配線に取り付けられたソケットが接続されている上記7)記載の植物栽培装置。
【００１７】
9)ＬＥＤ灯具が直管状であり、照明装置の枠における互いに対向する１対の枠部材が垂直状の灯具取付部を有し、前記１対の枠部材の灯具取付部に、ピン装着部を有するソケットが着脱自在に取り付けられ、ソケットのピン装着部にＬＥＤ灯具の両端に設けられたピンが着脱自在に装着されている上記1)〜6)のうちのいずれかに記載の植物栽培装置。
【００１８】
10)ソケットに、弾性を有する１対の指部が、互いに間隔をおくとともに、ピン装着部から外方に突出するように設けられ、各指部の先端部に、他の指部とは反対側に突出した爪部が設けられ、各指部が灯具取付部に間隔をおいて形成された貫通穴に通されるとともに、爪部が灯具取付部における貫通穴の周囲の部分に係合している上記9)記載の植物栽培装置。
【００１９】
11)ＬＥＤ灯具が直管状であり、照明装置の枠における互いに対向する１対の枠部材に、ＬＥＤ灯具を保持するホルダが、枠部材の長手方向に移動自在に取り付けられ、ホルダが、枠部材の長手方向の任意の位置において、固定部材により枠部材に固定されている上記1)〜6)のうちのいずれかに記載の植物栽培装置。
【００２０】
12)照明装置の枠における互いに対向する１対の枠部材に、下方に開口しかつ枠部材の長手方向にのびるホルダ案内溝が設けられ、ホルダ案内溝の両側面の下縁部に溝内方に突出した突出片が設けられ、ホルダが、枠部材の両突出片に跨った状態で両突出片の下面に沿うベース部、およびベース部に一体に設けられてＬＥＤ灯具を把持する把持部を有し、固定部材が、枠部材のホルダ案内溝内に回転しないように配置されたナットと、ホルダのベース部を下方から貫通するとともに枠部材の両突出片の先端間を通ってホルダ案内溝内に挿入されたおねじ部を有し、かつおねじ部がナットにねじ嵌められたボルトとよりなる上記11)記載の植物栽培装置。
【００２１】
13)栽培ラックに、複数の載置部が上下方向に間隔をおいて設けられており、栽培ラックにおける各載置部よりも上方の部分に、照明装置の左右長側縁部を支持する複数の支持部が上下方向に間隔をおいて設けられている上記1)〜12)のうちのいずれかに記載の植物栽培装置。
【発明の効果】
【００２２】
上記1)〜13)の植物栽培装置によれば、照明装置が、額縁状の枠と、枠に着脱自在に取り付けられた複数のＬＥＤ灯具と、ＬＥＤ灯具の上方に位置するように枠に着脱自在に取り付けられ、かつ反射面が下方を向いた反射部材とを備えているので、照明装置のＬＥＤ灯具から発せられた光を、直接植物に照射するだけではなく、反射部材の反射面により反射して植物に照射することができる。したがって、載置部に載せられた栽培槽に植えられた植物の生育に必要な光量子束密度を確保するために必要最少数のＬＥＤ灯具を使用した上で、載置部に載せられた栽培槽に植えられた全植物に発せられる光量子束密度を均一化することが可能になり、設備コストおよび消費電力コストを低減することができる。しかも、ＬＥＤ灯具に対する反射部材の位置が一定となるから、照明装置の載置部に対する照明装置の高さ位置を変更した場合にも、植物の育成状況に応じて、必要な光量子密度を確保することができる。
【００２３】
上記2)の植物栽培装置によれば、反射部材を、ＬＥＤ灯具とは別個に比較的簡単に交換することが可能になる。
【００２４】
上記3)の植物栽培装置によれば、反射部材の左右両側縁部の反射部材嵌入溝内からの脱落を防止することができる。
【００２５】
上記4)の植物栽培装置によれば、反射部材を、ＬＥＤ灯具とは別個に交換することが可能になる。
【００２６】
上記5)および6)の植物栽培装置によれば、反射部材の交換を比較的簡単に行うことができる。
【００２７】
上記7)および8)の植物栽培装置によれば、特許文献１記載の植物栽培装置のように取付金具を介してＬＥＤ灯具が取り付けられている場合に比べて、ＬＥＤ灯具の交換を簡単に行うことができる。
【００２８】
上記9)の植物栽培装置によれば、特許文献１記載の植物栽培装置のように取付金具を介してＬＥＤ灯具が取り付けられている場合に比べて、ＬＥＤ灯具の交換を簡単に行うことができる。
【００２９】
上記10)の植物栽培装置によれば、ソケットの灯具取付部への取付作業を比較的簡単に行うことができる。また、１つのＬＥＤ灯具に対応したソケットの１対の指部が通される１対の貫通穴を、１つのＬＥＤ灯具に対して枠部材の灯具取付部の長手方向に間隔をおいて複数対形成しておくことにより、各ＬＥＤ灯具の取付位置を、枠部材の灯具取付部の長手方向に変更することが可能になる。したがって、栽培槽に植えられる植物の種類や生育状況に応じてＬＥＤ灯具の位置を変更し、これにより植物に照射する光量子束密度を調節することが可能になる。
【００３０】
上記11)および12)の植物栽培装置によれば、各ＬＥＤ灯具の取付位置を、枠部材の灯具取付部の長手方向に変更することが可能になる。したがって、栽培槽に植えられる植物の種類や生育状況に応じてＬＥＤ灯具の位置を変更し、これにより植物に照射する光量子束密度を調節することが可能になる。
【００３１】
上記12)の植物栽培装置によれば、固定部材の構成が簡単になり、ホルダの固定部材への固定・解除を比較的簡単に行うことができる。
【図面の簡単な説明】
【００３２】
【図１】この発明の植物栽培装置を示す正面図である。
【図２】図１の植物栽培装置の栽培槽を省略した右側面図である。
【図３】図１の栽培槽を省略したＡ−Ａ線断面図である。
【図４】図１の要部拡大図である。
【図５】図４のＢ−Ｂ線断面図である。
【図６】図１のＣ−Ｃ線拡大断面図である。
【図７】図６の要部拡大図である。
【図８】図７のＤ−Ｄ線断面図である。
【図９】照明装置の反射部材および押さえ部材の変形例を示す図８相当の図である。
【図１０】図９の反射部材および押さえ部材を示す図７相当の図である。
【図１１】照明装置の左右両側縁部を支持する受けレール、および照明装置の水平枠の変形例と、反射部材の水平枠への着脱自在の取付構造、およびＬＥＤ灯具の水平枠への取付構造の変形例とを示す図８相当の図である。
【図１２】図１１に示す反射部材の水平枠への着脱自在の取付構造において、反射部材を水平枠に取り付ける前の状態を示す図１１相当の図である。
【図１３】図１１のＥ−Ｅ線断面図である。
【図１４】ＬＥＤ灯具の水平枠への取付構造において、ソケットを灯具取付部に取り付ける前の状態を示す図１３相当の図である。
【図１５】ＬＥＤ灯具の水平枠への取付構造の他の変形例を示す図８相当の図である。
【図１６】図１５のＦ−Ｆ線断面図である。
【発明を実施するための形態】
【００３３】
以下、この発明の実施形態を、図面を参照して説明する。この実施形態は、この発明による植物栽培装置を植物の土耕栽培に適用したものである。
【００３４】
図１および図２はこの発明の植物栽培装置の全体構成を示し、図３〜図８はその要部の構成を示す。
【００３５】
以下の説明において、「アルミニウム」という用語には、純アルミニウムの他にアルミニウム合金を含むものとする。
【００３６】
また、全図面を通じて同一物および同一部分には同一符号を付す。
【００３７】
図１〜図３において、植物栽培装置(1)は、土に植物が植えられた栽培槽(2)を載せる複数の載置部(4)が上下方向に間隔をおいて設けられた栽培ラック(3)と、各載置部(4)の上方に間隔をおいて栽培ラック(3)に配置された照明装置(5)とを備えており、照明装置(5)が、載置部(4)に対する照明装置(5)の高さ位置を変更しうるように栽培ラック(3)に取り付けられている。植物は、栽培槽(2)内に入れられた土に植えられている。
【００３８】
栽培ラック(3)は、前後方向に間隔をおいて配置されたアルミニウム押出形材製の２本の垂直状の支柱(7)からなる支柱対(6)を、左右方向に間隔をおいて少なくとも２対、ここでは４対備えている。すなわち、栽培ラック(3)の左右両端部に、それぞれ３本の支柱(7)が前後方向に間隔をおいて設けられており、前端の支柱(7)と前後方向中間の支柱(7)によって前側支柱対(6)が形成され、後端の支柱(7)と前後方向中間の支柱(7)によって後側支柱対(6)が形成され、その結果左右方向に間隔をおいて設けられた２つの支柱対(6)からなる組が、前後に並んで２組設けられている。前後方向中間の支柱(7)は、前後の支柱対(6)に共有されている。
【００３９】
栽培ラック(3)の左右方向に間隔をおいて隣り合う２つの支柱対(6)の前後両支柱(7)どうしの間に、それぞれ左右方向にのびる複数のアルミニウム押出形材製第１横桟(8)が上下方向に間隔をおいて配置されるとともに、第１横桟(8)の両端が支柱(7)に固定されている。また、各支柱対(6)を形成する前後両支柱(7)どうしの間に、前後方向にのびる複数のアルミニウム押出形材製第２横桟(9)が上下方向に間隔をおいて配置されるとともに、第２横桟(9)の前後両端部が支柱(7)に固定されている。第１横桟(8)と第２横桟(9)とは同一高さに位置している。
【００４０】
上端の両横桟(8)(9)を除いた同一高さ位置にある第１横桟(8)および第２横桟(9)のうちの少なくともいずれか一方を利用して載置部(4)が形成されている。たとえば、前後方向に隣り合う第１横桟(8)間に前後方向にのびる複数のアルミニウム押出形材製受け部材(11)が左右方向に間隔をおいて配置されている。栽培槽(2)は、前後両載置部(4)上に左右方向に間隔をおいて複数載せられている。
【００４１】
下端の第１横桟(8)を除いた他の第１横桟(8)に、照明装置(5)を吊持する複数のアルミニウム押出形材製吊持部材(12)が左右方向に間隔をおいて固定されている。上下方向に隣り合う第１横桟(8)の吊持部材(12)は、左右方向の同一位置に固定されている。
【００４２】
図４および図５に示すように、吊持部材(12)は垂直角筒状であり、上下方向の長さは、上下方向に隣り合う載置部(4)間の間隔よりも短くなっている。第１横桟(8)の前後両側には、上部が第１横桟(8)に固定されるとともに下部が第１横桟(8)よりも下方に突出したアルミニウム製プレート(13)が配置されており、両プレート(12)の下部間に吊持部材(12)の上端寄りの部分が配置されて両プレート(13)にねじ止めされている。左右方向に間隔をおいて隣り合う前後２組の支柱対(6)の前後両支柱(7)の左右方向内側面、およびすべての吊持部材(12)の左右両側面に、それぞれ照明装置(5)の左右両側縁部を支持する支持部としてのアルミニウム押出形材製受けレール(14)が上下方向に間隔をおいて複数設けられている。各受けレール(14)は、垂直部(14a)、および垂直部(14a)の上端近傍に一体に設けられかつ垂直部(14a)から照明装置(5)側に突出した水平部(14b)よりなる。各支柱対(6)の前後両支柱(7)に設けられた各受けレール(14)は、長手方向を前後方向に向けた状態で栽培ラック(3)の左右両端に位置する前後２組の支柱対(6)の３本の支柱(7)に跨って配置されて、垂直部(14a)が支柱(7)に固定されている。吊持部材(12)の左右両側面に設けられた各受けレール(14)は、長手方向を前後方向に向けた状態で前後方向に間隔をおいて設けられた３つの吊持部材(12)に跨って配置されて、垂直部(14a)が吊持部材(12)に固定されている。
【００４３】
図４〜図８に示すように、照明装置(5)は、額縁状の水平枠(15)と、長手方向を左右方向に向けた状態で水平枠(15)に着脱自在に取り付けられた複数の直管状ＬＥＤ灯具(16)と、ＬＥＤ灯具(16)の上方に位置するように水平枠(15)に着脱自在に取り付けられかつ反射面が下方を向いた板状の反射部材(17)とを備えており、左右方向に間隔をおいて並んだ支柱対(6)間に配置されている。
【００４４】
水平枠(15)は、長手方向を前後方向に向けたアルミニウム押出形材製左右両枠部材(18)と、長手方向を左右方向に向けた状態で左右両枠部材(18)の前後両端部間に配置され、かつ左右両端部が左右両枠部材(18)に固定されたアルミニウム押出形材製前後両枠部材(19)とよりなる。
【００４５】
左右両枠部材(18)は、垂直状の灯具受け部(21)と、灯具受け部(21)の下端に一体に設けられて水平枠(15)外側に張り出し、かつ受けレール(14)の水平部(14b)に受けられる被受け部(22)とからなる。灯具受け部(21)には、上端から下方にのびる複数の切り欠き(23)が前後方向に間隔をおいて形成されている。灯具受け部(21)は、受けレール(14)の水平部(14b)の照明装置(5)内側への突出端よりも水平枠(15)内側に位置している。被受け部(22)は、灯具受け部(21)の下端に連なった第１水平部(22a)と、第１水平部(22a)の水平枠(15)外側への突出端に段部を介して連なり、かつ第１水平部(22a)よりも下方に位置する第２水平部(22b)とよりなり、第２水平部(22b)が、受けレール(14)の水平部(14b)上に、前後方向に摺動自在に載せられている。
【００４６】
前後両枠部材(19)は、水平部(19a)および水平部(19a)の水平枠(15)外側縁部に一体に設けられて下方にのびた垂直部(19b)からなる横断面略Ｌ字状である。水平部(19a)の下面および垂直部(19b)の水平枠(15)内側を向いた面にタッピングビスねじをねじ嵌めるビスねじ嵌め溝(24)が形成さており、左右両枠部材(18)の灯具受け部(21)を左右方向外側から貫通したタッピングビス（図示略）をビスねじ嵌め溝(24)にねじ嵌めることによって、前後両枠部材(19)が左右両枠部材(18)に固定されている。
【００４７】
直管状ＬＥＤ灯具(16)は、左右両端部が、水平枠(15)の左右両枠部材(18)の灯具受け部(21)の切り欠き(23)内に嵌め入れられ、水平枠(15)に着脱自在に取り付けられたアルミニウム押出形材製押さえ部材(25)によって固定されている。押さえ部材(25)は長手方向を前後方向に向けた水平帯板状であり、前後両端部が、水平枠(15)の前後両枠部材(19)における水平部(19a)の左右両端部にねじ(26)によって固定されている。押さえ部材(25)の下面には、左右方向の中間部から下方に突出した下方突出部、および下方突出部の下端に連なって水平枠(15)内側に延び、かつ突出端が押さえ部材(25)の水平枠(15)内側端とほぼ同一位置にある内方突出部とよりなる溝形成部材(27)が一体に設けられており、これにより押さえ部材(25)に、水平枠(15)内方に開口した反射部材嵌入溝(28)が形成されている。また、押さえ部材(25)の下面における溝形成部材(27)よりも水平枠(15)外側部分に、前後方向にのびる弾性部材(29)が固定されている。そして、ＬＥＤ灯具(16)の左右両端部が、弾性部(29)材を介して押さえ部材(25)により上方から押さえられることによって、ＬＥＤ灯具(16)が固定されている。水平枠(15)の左右両枠部材(18)の灯具受け部(18)よりも水平枠(15)外側の部分において、ＬＥＤ灯具(16)のいずれか一端部に設けられた通電用ピン(16a)に、給電用配線(31)に取り付けられたソケット(32)が接続されている。左右方向に隣り合う照明装置(5)においては、ＬＥＤ灯具(16)の近接した端部に通電用ピン(16a)が設けられるとともに、当該通電用ピン(16a)にソケット(32)が接続されている。
【００４８】
反射部材(17)は、左右両側縁部が押さえ部材(25)の反射部材嵌入溝(28)内に嵌め入れられるとともに、押さえ部材(25)および反射部材(17)を貫通したねじ(33)を、溝形成部材(27)に設けられたねじ穴（図示略）にねじ嵌めることによって、押さえ部材(25)に着脱自在に固定されている。したがって、反射部材(17)は、ＬＥＤ灯具(16)とは別個に水平枠(15)に対して着脱自在となっている。また、反射部材(17)には、ＬＥＤ灯具(16)の電源（図示略）から発せられる熱を逃がすための貫通穴(35)が形成されている。
【００４９】
照明装置(5)の水平枠(15)の左右両枠部材(18)の被受け部(22)は、栽培槽(2)に植えられた植物の種類や植物の成育状況に応じて、各載置部(4)の上方に設けられたいずれかの高さ位置の受けレール(14)の水平部(14b)に載せられる。そして、載置部(4)に載せられた栽培槽(2)の植物に対する照明装置(5)の高さ位置が変更されることによって、植物の種類や植物の成育状況に応じて、植物に照射する光強度を調節することが可能になる。
【００５０】
ＬＥＤ灯具(16)を交換する必要が生じた場合には、ソケット(32)を通電用ピン(16a)から取り外した後、ねじ(26)を外して押さえ部材(25)を取り外すことによって行う。また、反射部材(17)のメンテナンスや、交換の必要が生じた場合には、ねじ(33)を外した後、反射部材(17)を押さえ部材(25)に対して前方または後方に移動させることによって、水平枠(15)から取り外し、メンテナンスの後、または新たな反射部材(17)の左右両側縁部を、前方または後方から左右両押さえ部材(25)の反射部材嵌入溝(28)内に嵌め入れ、ついで押さえ部材(25)および反射部材(17)を貫通したねじ(33)を、溝形成部材(27)に設けられたねじ穴（図示略）にねじ嵌めることによって行う。
【００５１】
上記実施形態においては、植物栽培装置は、植物が栽培槽(2)内に入れられた土に植えられている植物の土耕栽培に適用されているが、これに限定されるものではなく、植物の水耕栽培にも適用されることもある。この場合、各載置部(4)上に、左右方向に長い１つの栽培槽が載せられ、栽培槽の上側がカバーにより覆われ、植物は、根がカバーの下側に広がるとともに茎がカバーに形成された貫通穴を通してカバーの上方に伸びるように、栽培槽に植えられる。そして、栽培槽に水分や栄養分を含む養液が供給され、この養液が循環利用される。
【００５２】
図９および図１０は照明装置の反射部材(17)、およびＬＥＤ灯具(16)を水平枠(15)に着脱自在に固定する押さえ部材(25)の変形例を示す。
【００５３】
図９および図１０において、反射部材(17)の全周、すなわち左右両側縁部および前後両側縁部に、それぞれ上方折り返し部(40)が設けられている。また、ＬＥＤ灯具(16)を水平枠(15)に着脱自在に固定する押さえ部材(25)の反射部材嵌入溝(28)の上側壁の水平枠(15)内側端部に、溝(28)内方（下方）に突出した凸部(41)が設けられている。凸部(41)の下面は半円筒面状となっている。
【００５４】
植物栽培装置(1)のその他の構成は、上述した実施形態の場合と同様である。
【００５５】
反射部材(17)に、反射部材嵌入溝(28)に嵌め入れられている部分を溝(28)外方（水平枠(15)の内方）に引っ張る力が加わった場合、左右両側縁部の上方折り返し部(40)が凸部(41)に係合することによって、反射部材(17)の反射部材嵌入溝(28)内からの抜けが防止される。また、反射部材(17)の左右両側縁部および前後両側縁部の上方折り返し部(40)は、反射部材(17)を交換する際に、反射部材(17)の変形を防止する機能を有するので、反射部材(17)の交換作業が簡単になる。
【００５６】
図１１〜図１４は、照明装置の左右両側縁部を支持する受けレール、および照明装置の水平枠の変形例と、反射部材の水平枠への着脱自在の取付構造、およびＬＥＤ灯具の水平枠への取付構造の変形例とを示す。
【００５７】
図１１および図１２に示すように、左右方向に間隔をおいて隣り合う前後２組の支柱対(6)の前後両支柱(7)の左右方向内側面、およびすべての吊持部材(12)の左右両側面に設けられたアルミニウム押出形材製受けレール(50)は、支柱(7)または吊持部材(12)に固定される垂直部(50a)と、垂直部(50a)の上端に一体に連なって照明装置(5)側に突出した水平部(50b)と、水平部(50b)の先端に一体に連なって上方に突出した垂直受け部(50c)とよりなる。
【００５８】
照明装置(5)の水平枠(15)のアルミニウム押出形材製左右両枠部材(51)は、垂直状の灯具取付部(52)と、灯具取付部(52)の上端に一体に設けられて水平枠(15)外側に張り出し、かつ受けレール(50)の垂直受け部(50c)に受けられる水平平板状の被受け部(53)(平板部)とからなる。そして、左右両枠部材(51)の灯具取付部(52)を左右方向外側から貫通したタッピングビス（図示略）を前後両枠部材(19)のビスねじ嵌め溝(24)にねじ嵌めることによって、前後両枠部材(19)と左右両枠部材(51)とが固定されている。
【００５９】
左右両枠部材(51)の被受け部(53)における受けレール(50)の垂直受け部(50c)に受けられる部分よりも水平枠(15)の枠内方の部分に、被受け部(53)の長手方向（前後方向）に間隔をおいて複数の貫通穴(54)が形成されるとともに、反射部材(17)における貫通穴(54)と合致した部分に貫通穴(55)が形成されている。そして、反射部材(17)は、両貫通穴(54)(55)を利用し、固定・解除自在のロック装置(56)を用いて、水平枠(15)の左右両枠部材(51)の被受け部(53)に着脱自在に取り付けられている。
【００６０】
ロック装置(56)は、被受け部(53)および反射部材(17)の貫通穴(54)(55)に通されるグロメット(57)と、上側からグロメット(57)に移動自在に挿入された軸部(58a)を有するプランジャ(58)とからなる。グロメット(57)は、反射部材(17)の外面における貫通穴(55)の周囲の部分に沿う環状座部(57a)と、環状座部(57a)の片面に周方向に間隔をおいて一体に設けられ、かつ両貫通穴(54)(55)に通される複数の脚部(57b)とを有し、プランジャ(58)の押し引きによって、グロメット(57)の脚部(57b)が弾性変形し、かつ径方向外側に広がって被受け部(53)における貫通穴(54)の周囲の部分に係合して反射部材(17)を被受け部(53)に固定する固定位置（図１１参照）と、両貫通穴(54)(55)を通過しうる解除位置との間で切り替わるようになっている（図１２参照）。
【００６１】
ロック装置(56)としては、たとえば株式会社栃木屋製のラッチ、「ナイラッチ」を採用することができる。
【００６２】
また、反射部材(17)の被受け部(53)への着脱自在の取り付けは、図１０および図１１に示すロック装置(56)に代えて、嵌合凸部を有する雄部材と、雄部材の嵌合凸部が嵌る嵌合凹部を有する雌部材とを有し、雌部材が被受け部(53)に取り付けられるとともに雄部材が反射部材(17)に取り付けられており、雄部材を押すごとに固定と解除とを繰り返すようになっているロック装置を用いてもよい。このロック装置としては、たとえばタキゲン製造株式会社の小型ファスナ、「カムロックファスナ」を採用することができる。さらに、スナップボタンからなるロック装置を用いることもできる。
【００６３】
図１１〜図１４に示すように、水平枠(15)の左右両枠部材(51)の灯具取付部(52)における水平枠(15)の枠内方を向いた部分に、給電用配線(59)に取り付けられかつピン装着部（図示略）を有するソケット(60)が着脱自在に取り付けられており、直管状ＬＥＤ灯具(16)の左右両端部に設けられたピン(60a)が、ソケット(60)のピン装着部に着脱自在に装着されている。
【００６４】
ソケット(60)に、弾性を有する１対の指部(61)が、互いに周方向に等角度間隔をおくとともに外方に突出するように設けられ、各指部(61)の先端部に、他の指部(61)とは反対側に突出した爪部(62)が設けられている。そして、各指部(61)が、左右両枠部材(51)の灯具取付部(52)に前後方向に間隔をおいて形成された貫通穴(63)に通されるとともに、爪部(62)が灯具取付部(52)における貫通穴(63)の周囲の部分に係合することによって、ソケット(60)が左右両枠部材(51)の灯具取付部(52)に着脱自在に取り付けられている。すなわち、爪部(62)は、貫通穴(63)を通るような大きさであり、さらに爪部(62)の形状は爪部(62)が貫通穴(63)を通過する際に、貫通穴(63)の縁により爪部(62)が押されて、指部(61)が図１４に鎖線で示すように弾性変形しうる形状である。爪部(62)が貫通穴(63)を通過すると、指部(61)が自身の弾性力により元の形状に戻り、爪部(62)が灯具取付部(52)における貫通穴(63)の周囲の部分に係合する。
【００６５】
図示は省略したが、１つのＬＥＤ灯具(16)に対応したソケット(60)の１対の指部(61)が通される１対の貫通穴(63)を、１つのＬＥＤ灯具(16)に対して左右両枠部材(51)の灯具取付部(52)の長手方向に間隔をおいて複数対形成しておくことが好ましい。
【００６６】
植物栽培装置(1)のその他の構成は、上述した実施形態の場合と同様である。
【００６７】
図１５および図１６はＬＥＤ灯具の水平枠への取付構造の他の変形例を示す。
【００６８】
図１５および図１６において、照明装置(5)の水平枠(15)のアルミニウム押出形材製左右両枠部材(70)に、ＬＥＤ灯具(16)を保持するホルダ(75)が、左右両枠部材(70)の長手方向に移動自在に取り付けられ、ホルダ(75)が、左右両枠部材(70)の長手方向の任意の位置において、固定部材(76)により左右両枠部材(70)に固定されている。
【００６９】
左右両枠部材(70)は、受けレール(50)の垂直受け部(50c)に受けられる水平平板状の被受け部(71)を備えており、被受け部(71)における受けレール(50)よりも水平枠(15)の枠内方に位置する端部に、下方に開口しかつ左右両枠部材(70)の長手方向にのびるホルダ案内溝(72)が設けられている。ホルダ案内溝(72)の両側面の下縁部に、溝(72)内方に突出した突出片(73)が設けられている。
【００７０】
ホルダ(75)は、左右両枠部材(70)の両突出片(73)に跨った状態で両突出片(73)の下面に沿うベース部(77)、およびベース部(77)に一体に設けられてＬＥＤ灯具(16)を把持する把持部(78)を有する。固定部材(76)は、左右両枠部材(70)のホルダ案内溝(72)内に回転しないように配置されたナット(79)と、ボルト(80)とよりなる。ボルト(80)は、ホルダ(75)のベース部(77)を下方から貫通するとともに左右両枠部材(70)の両突出片(73)の先端間を通ってホルダ案内溝(72)内に挿入されたおねじ部(80a)を有し、おねじ部(80a)がナット(79)にねじ嵌められている。
【００７１】
植物栽培装置(1)のその他の構成は、図１１〜図１４に示すものと同様である。
【産業上の利用可能性】
【００７２】
この発明による植物栽培装置は、照明装置を人工光源とする植物工場、野菜工場、育苗装置などにおいて好適に用いられる
【符号の説明】
【００７３】
(1)：植物栽培装置
(2)：栽培槽
(3)：栽培ラック
(4)：載置部
(5)：照明装置
(7)：支柱
(14)：受けレール（支持部）
(15)：水平枠
(16)：ＬＥＤ灯具
(16a)：通電用ピン
(17)：反射部材
(18)：左右両枠部材
(21)：灯具受け部
(23)：切り欠き
(25)：押さえ部材
(28)：反射部材嵌入溝
(31)：給電用配線
(32)：ソケット
(40)：上方折り返し部
(41)：凸部
(51)：左右両枠部材
(52)：灯具取付部
(53)：被受け部(平板部)
(54)(55)：貫通穴
(56)：ロック装置
(57)：グロメット
(57a)：環状座部
(57b)：脚部
(58)：プランジャ
(59)：給電用配線
(60)：ソケット
(60a)：ピン
(61)：指部
(62)：爪部
(63)：貫通穴
(70)：左右両枠部材
(72)：ホルダ嵌入溝
(73)：凸部
(75)：ホルダ
(76)：固定部材
(77)：ベース部
(78)：把持部
(79)：ナット
(80)：ボルト
(80a)：おねじ部
【図１】
2015006162.tif 000003
【図２】
2015006162.tif 000004
【図３】
2015006162.tif 000005
【図４】
2015006162.tif 000006
【図５】
2015006162.tif 000007
【図６】
2015006162.tif 000008
【図７】
2015006162.tif 000009
【図８】
2015006162.tif 000010
【図９】
2015006162.tif 000011
【図１０】
2015006162.tif 000012
【図１１】
2015006162.tif 000013
【図１２】
2015006162.tif 000014
【図１３】
2015006162.tif 000015
【図１４】
2015006162.tif 000016
【図１５】
2015006162.tif 000017
【図１６】
2015006162.tif 000018